(57)【要約】【課題】製造効率を維持しつつ、高い精度でタイヤ構成部材を配置することで、大幅にビード部耐久性を向上したタイヤの製造方法及びかかる製造方法により製造されるタイヤを提供する。【解決手段】カーカスプライ３の剛体コア幅方向外側にリング状のビードコア４を配置し、次いで、カーカスプライの端部５を、ビードコア４の周りに沿って剛体コア幅方向内側から剛体コア幅方向外側に向かって折り返し、カーカスプライの端部６を、ビードコア４の周りに沿って剛体コア径方向内側から剛体コア幅方向外側に向かって折り返し、カーカスプライの端部６を、ビードコア４の周りに沿って剛体コア幅方向外側から剛体コア幅方向内側に向かって折り返す。その後、カーカスプライの端部６をビードコア４に押し付けて拘束する拘束部材１０を、拘束部材１０とビードコア４との間にカーカスプライ３を挟み込むように、ビードコア４及びカーカスプライ３の剛体コア径方向外側に配置する。【選択図】図２
2008173938.tif 000002
【特許請求の範囲】
【請求項１】
製品タイヤの内面形状とほぼ対応する外面形状を有する剛体コア上に、タイヤ構成部材を配置して生タイヤを形成するタイヤの製造方法において、
カーカスプライの剛体コア幅方向外側にリング状のビードコアを配置する工程と、
前記カーカスプライの端部を、前記ビードコアの周りに沿って剛体コア幅方向内側から剛体コア幅方向外側に向かって折り返す第一折返し工程と、
前記カーカスプライの端部を、前記ビードコアの周りに沿って剛体コア径方向内側から剛体コア径方向外側に向かって折り返す第二折返し工程と、
前記カーカスプライの端部を、前記ビードコアの周りに沿って剛体コア幅方向外側から剛体コア幅方向内側に向かって折り返す第三折返し工程と、
前記カーカスプライの端部を前記ビードコアに押し付けて拘束する拘束部材を、該拘束部材と前記ビードコアとの間に前記カーカスプライを挟み込むように、前記ビードコア及びカーカスプライの剛体コア径方向外側に配置する工程とを含むことを特徴とする空気入りタイヤの製造方法。
【請求項２】
前記第一、第二及び第三折返し工程のうち、少なくとも一つの折返し工程において前記カーカスプライの端部を弾性的に折り返す、請求項１に記載の空気入りタイヤの製造方法。
【請求項３】
前記剛体コア上にて、少なくとも一本のコードを実質的に剛体コア周方向に螺旋状に連続巻回しながら配置して、前記拘束部材を構成する工程を更に含む、請求項１又は２に記載の空気入りタイヤの製造方法。
【請求項４】
前記カーカスプライの倒れ込み変形を防止する補強部材を、前記ビード部に対応する前記カーカスプライ及び剛体コアの間に配置する工程を更に含む、請求項１〜３のいずれか一項に記載の空気入りタイヤの製造方法。
【請求項５】
前記剛体コア上にて、一本のコードを実質的にタイヤ周方向に螺旋状に連続巻回しながら配置して、前記補強部材を構成する工程を更に含む、請求項４に記載の空気入りタイヤの製造方法。
【請求項６】
請求項１〜５のいずれか一項に記載の空気入りタイヤの製造方法を用いて製造される空気入りタイヤ。
【請求項７】
ビードコアを埋設した一対のビード部、該ビード部からタイヤ径方向外側に延びる一対のサイドウォール部、並びに両サイドウォール部間にまたがって延びるトレッド部の各部にわたってトロイド状に延びる少なくとも一枚のカーカスプライを具え、該カーカスプライは該ビードコアの周りに沿って折り返されてなる空気入りタイヤにおいて、
該空気入りタイヤは、該ビード部に拘束部材を更に具え、該拘束部材のタイヤ径方向最内端は、前記ビードコアのタイヤ径方向最外端よりもタイヤ径方向内側に配置され、該ビードコアとともに前記カーカスプライの端部を挟み込むことを特徴とする空気入りタイヤ。
【請求項８】
前記カーカスプライは前記ビードコアの周りに弾性的に折り返されてなる、請求項７に記載の空気入りタイヤ。
【請求項９】
前記拘束部材は、少なくとも一本のコードを実質的にタイヤ周方向に螺旋状に連続巻回して構成される、請求項７又は８に記載の空気入りタイヤ。
【請求項１０】
前記拘束部材を構成するコードは金属コード又は有機繊維コードである、請求項７〜９のいずれか一項に記載の空気入りタイヤ。
【請求項１１】
前記ビード部に対応する前記カーカスプライ及びビードコアのタイヤ幅方向内側に補強部材を配置してなる、請求項７〜１０のいずれか一項に記載の空気入りタイヤ。
【請求項１２】
前記補強部材は、一本のコードを実質的にタイヤ周方向に螺旋状に連続巻回して構成される、請求項１１に記載の空気入りタイヤ。
【請求項１３】
前記補強部材を構成するコードは金属コード又は有機繊維コードである、請求項１１又は１２に記載の空気入りタイヤ。
【請求項１４】
前記補強部材のタイヤ径方向外側の端部は、前記ビードコアのタイヤ径方向最外端よりもタイヤ径方向外側にある、請求項１１〜１３のいずれか一項に記載の空気入りタイヤ。
【請求項１５】
前記補強部材のタイヤ径方向内側の端部は、前記ビードコアのタイヤ径方向最内端よりもタイヤ径方向内側にある、請求項１１〜１４のいずれか一項に記載の空気入りタイヤ。
【発明の詳細な説明】
【技術分野】
【０００１】
この発明は、ビード部耐久性に優れた空気入りタイヤの製造方法及びかかる製造方法を用いて製造された空気入りタイヤに関する。
【背景技術】
【０００２】
一般に、空気入りタイヤは、一対のビード部、一対のサイドウォール部、トレッド部及びそれらを補強するプライコードからなるカーカスプライ等を具えており、ビード部は、少なくとも１層のカーカスプライが、各ビード部内に埋設されているビードコアの周りをタイヤ径方向内側から外側に向かって巻き上げる折返し部を有するような構成となっている。しかし、このようなビード部構造を具えた空気入りタイヤは、タイヤ負荷転動時に、リムフランジによりビード部のタイヤ径方向外側が、タイヤ幅方向外側へ繰返し倒れ込み変形することから、繰返し倒れ込み変形するカーカス部分及びカーカスプライの折返し端部に応力が集中することとなる。その結果、カーカスプライを被覆しているゴムとカーカスプライとの間にクラックが発生し、ゴムとカーカスプライとの間のセパレーションが起こり、カーカスプライの、タイヤ径方向外側への引張力に抗する係止力が低下するので、カーカスプライの引き抜け及びそのことに伴うビード部の破壊を招く虞がある。
【０００３】
そこで、特許文献１では、カーカスプライをビードコアの周りに巻付けて、カーカスプライの折返し端部をビード部の歪みの少ない領域に配置して、カーカスプライを被覆しているゴムとカーカスプライとのセパレーションを抑制する空気入りタイヤの製造方法及びかかる製造方法により製造された空気入りタイヤが提案されている。また、カーカスプライをビードコアに巻付けることで、空気入りタイヤが負荷転動時に、カーカスプライの、タイヤ径方向外側への引張力に抗する係止力が向上し、カーカスプライのビード部からの引き抜けを抑制している。更に、繰返し倒れ込み変形しやすい領域に硬質ゴムにより構成される補強部材を配設することで、ビード部の倒れ込みを防止して、カーカスプライとゴムとのセパレーションを抑制している。
【０００４】
また、特許文献２では、コードを周方向に連続巻回することで構成される補強部材を、カーカスプライをビードコアとともに挟み込むように配設することで、カーカスプライの引き抜けを防止した空気入りタイヤが提案されている。
【０００５】
【特許文献１】特開平８−４００２６号公報
【特許文献２】特開２００１−１９１７５８号公報
【発明の開示】
【発明が解決しようとする課題】
【０００６】
これら特許文献１及び２に記載された空気入りタイヤは、カーカスプライをビードコアに巻き付けるために予めローラー等でカーカスプライを塑性変形させているが、これが製造効率を高める上での障害となっている。また、塑性変形されたカーカスプライは、その塑性変形箇所において強力が低下することから、タイヤ負荷転動時にカーカスプライが破壊される虞がある。
【０００７】
したがって、この発明の目的は、従来技術が抱えるこのような問題点を解決することを課題とするものであり、その目的は、製造効率を維持しつつ、高い精度でタイヤ構成部材を配置し、大幅にビード部耐久性を向上した空気入りタイヤの製造方法及びかかる製造方法により製造される空気入りタイヤを提供することにある。
【課題を解決するための手段】
【０００８】
上記の目的を達成するため、第一発明は、製品タイヤの内面形状とほぼ対応する外面形状を有する剛体コア上に、タイヤ構成部材を配置して生タイヤを形成するタイヤの製造方法において、カーカスプライの剛体コア幅方向外側にリング状のビードコアを配置する工程と、カーカスプライの端部を、ビードコアの周りに沿って剛体コア幅方向内側から剛体コア幅方向外側に向かって折り返す第一折返し工程と、カーカスプライの端部を、ビードコアの周りに沿って剛体コア径方向内側からタイヤ径方向外側に向かって折り返す第二折返し工程と、カーカスプライの端部を、ビードコアの周りに沿ってタイヤ幅方向外側から剛体コア幅方向内側に向かって折り返す第三折返し工程と、カーカスプライの端部をビードコアに押し付けて拘束する拘束部材を、拘束部材とビードコアとの間にカーカスプライを挟み込むように、ビードコア及びカーカスプライの剛体コア径方向外側に配置する工程とを含むことを特徴とする空気入りタイヤの製造方法である。かかる製造方法により、カーカスプライを完全に塑性変形することなく迅速にビードコアの周りに巻き付けることができ、かつカーカスプライの端部をビードコアと拘束部材で狭持するのでカーカスプライの引き抜けを有効に防止することができる。
【０００９】
また、第一、第二及び第三折返し工程のうち、少なくとも一つの折返し工程においてカーカスプライの端部を弾性的に折り返すことが好ましい。ここで、「弾性的」とは、荷重を取り除いたときに、完全に元の状態に復元するもののみならず、若干の塑性変形により残留ひずみを生じるものを含むものとし、具体的には残留ひずみを生じるものも含むものとする。
【００１０】
更に、剛体コア上にて、少なくとも一本のコードを実質的に剛体コア周方向に螺旋状に連続巻回しながら配置して、拘束部材を構成する工程を更に含むことが好ましい。ここで、「実質的に剛体コア周方向」とは、一本のコードを螺旋状に連続巻回して補強層を形成する場合等、生産上不可避的に発生する微小な傾きも含むことを意味するものである。
【００１１】
更にまた、カーカスプライの倒れ込み変形を防止する補強部材を、タイヤのビード部に対応するカーカスプライ及び剛体コアの間に配置する工程を更に含むことが好ましい。
【００１２】
加えて、剛体コア上にて、一本のコードを実質的に剛体コア周方向に螺旋状に連続巻回しながら配置して、補強部材を構成する工程を更に含むことが好ましい。
【００１３】
第二発明は、前記空気入りタイヤの製造方法により製造されることを特徴とする空気入りタイヤである。
【００１４】
第三発明は、ビードコアを埋設した一対のビード部、ビード部からタイヤ径方向外側に延びる一対のサイドウォール部、並びに両サイドウォール部間にまたがって延びるトレッド部の各部にわたってトロイド状に延びる少なくとも一枚のカーカスプライを具え、カーカスプライはビードコアの周りに沿って折り返されてなる空気入りタイヤにおいて、空気入りタイヤは、ビード部に拘束部材を更に具え、かかる拘束部材のタイヤ径方向最内端は、ビードコアのタイヤ径方向最外端よりもタイヤ径方向内側に配置され、ビードコアとともにカーカスプライの端部を挟み込むことを特徴とする空気入りタイヤである。ここで、「ビードコアのタイヤ径方向最外端」とは、ビードコアのタイヤ径方向における最も外側の位置をいい、「拘束部材のタイヤ径方向最内端」とは、拘束部材のタイヤ径方向における最も内側の位置をいうものとする。
【００１５】
また、第三発明の空気入りタイヤにおいて、カーカスプライは弾性的に折り返されてなることが好ましい。
【００１６】
更に、第三発明の空気入りタイヤにおいて、拘束部材は、少なくとも一本のコードを実質的にタイヤ周方向に螺旋状に連続巻回して構成されることが好ましい。
【００１７】
更にまた、拘束部材を構成するコードは金属コード又は有機繊維コードであることが好ましい。
【００１８】
加えて、第三発明の空気入りタイヤにおいて、ビード部に対応するカーカスプライ及びビードコアのタイヤ幅方向内側に補強部材を配置してなることが好ましい。
【００１９】
加えてまた、第三発明の空気入りタイヤにおいて、補強部材は、一本のコードを実質的にタイヤ周方向に螺旋状に連続巻回して構成されることが好ましい。
【００２０】
また、拘束部材及び補強部材を構成するコードは金属コード又は有機繊維コードであることが好ましい。
【００２１】
更に、補強部材のタイヤ径方向外側の端部は、ビードコアのタイヤ径方向最外端よりもタイヤ径方向外側にあることが好ましい。
【００２２】
更にまた、補強部材のタイヤ径方向内側の端部は、ビードコアのタイヤ径方向最内端よりもタイヤ径方向内側にあることが好ましい。ここで、「ビードコアのタイヤ径方向最内端」とは、ビードコアのタイヤ径方向における最も内側の位置をいうものとする。
【発明の効果】
【００２３】
この発明によれば、製造効率を維持しつつ、高い精度でタイヤ構成部材を配置し、大幅にビード部耐久性を向上した空気入りタイヤの製造方法及びかかる製造方法により製造される空気入りタイヤを提供することが可能となる。
【発明を実施するための最良の形態】
【００２４】
次に、図面を参照しつつ、この発明の実施の形態を説明する。図１（ａ）〜（ｆ）は、この発明に従う代表的な空気入りタイヤ（以下「タイヤ」という。）の製造方法の概略を示す剛体コア幅方向左半断面図である。なお、かかるタイヤの製造方法は、製品タイヤの内面形状とほぼ対応する外面形状を有する剛体コア上に、各種タイヤ構成部材を貼り付けて生タイヤを形成し、これを剛体コアとともに加硫することによってタイヤを製造する方法である、いわゆるコア製法（３次元製法）の一種である。
【００２５】
コア製法は製品タイヤの内面形状とほぼ対応する外面形状を有する剛体コア上にタイヤ構成部材を積層して生タイヤを形成するため、成型ドラム上に２次元的にタイヤ構成部材を配置した後、これをブラダ等により拡径変形させて生タイヤを形成する従来の製造方法に比べて、タイヤ構成部材を意図した位置に正確に配置することができるという利点がある。また、剛体コア上に直接構成部材を形成するため、構成部材の切り替えが不要となり、多サイズ、同時生産が可能となり、かつ中間材料を保管する必要もなくなるという利点もある。これらの利点から、コア製法は今後のタイヤ製造の主流となることが期待されている。更に、カーカスプライがビードコアの周面に巻き付くようにタイヤ幅方向内側に曲げられると、カーカスプライの端部への応力集中を回避でき、ビード部の耐久性が向上する。このようにカーカスプライをビードコアの周面に巻き付けるためには、予めローラー等でカーカスプライを塑性的に変形させ、くせ付けを行う必要があり、これを行わなければ、加硫工程により構成部材が相互に接着するまでの間にカーカスプライが弾性力により元の形状に復元し、適正なビード部形状を保てなくなる。しかし、コア製法では、予め塑性的にくせ付けを行ってビードコア周面に巻き付けることは困難であり、非効率的でもあった。
【００２６】
この発明に従うタイヤの代表的な製造方法は、図１（ａ）〜（ｆ）に示すように、製品タイヤの内面形状とほぼ対応する外面形状を有する剛体コア１上に、タイヤ構成部材を貼り付けて生タイヤを形成するタイヤの製造方法である。まず、図１（ａ）に示すように、補強部材２を剛体コア１の外周面上に貼り付け、次いで、カーカスプライ３の中央領域を剛体コア１上に貼り付け、端部領域を保持ステージ５の上に載置する。そして、図１（ｂ）に示すように、カーカスプライ３の幅方向外側にビードコア４を置き、これを剛体コア幅方向外側から剛体コア幅方向内側に移動させることで、カーカスプライの端部６をビードコア４の周りに沿って剛体コア幅方向外側に折り返す。それから、図１（ｃ）に示すように、ロック手段７を剛体コア径方向内側から剛体コア径方向外側に移動させることで、カーカスプライ３をビードコア４とロック手段７との間に固定する。そして、図１（ｄ）に示すように、第一折返し手段８を剛体コア径方向内側から剛体コア径方向外側に向かって移動させることで、カーカスプライの端部６をビードコア４の周りで折り返して、カーカスプライの端部６を剛体コア幅方向外側から剛体コア幅方向内側に向かって折り返す。次いで、図１（ｅ）に示すように、第二折返し手段９を剛体コア幅方向外側から剛体コア幅方向内側に向かって移動させることで、カーカスプライの端部６を、ビードコア４の周りに沿って剛体コア幅方向外側から剛体コア幅方向内側に向かって折り返す。このようにして、カーカスプライの端部６をビードコア４の周りでくせ付けした後、図１（ｆ）に示すように、ビードコア４の外径よりも大きい内径を有するリング状の拘束部材１０を、カーカスプライの端部６のタイヤ幅方向外側に配置し、拘束部材１０とビードコア４とでカーカスプライの端部６を挟み込む。かかる代表的な製造方法により、カーカスプライ３をビードコア４の周りに一時的にくせ付けを行いながら弾性的に巻き付けることができるので、カーカスプライ３をビードコア４に迅速に巻き付けることが可能となる。
【００２７】
なお、図示の例では、剛体コア１上でカーカスプライの端部６の折り返しを行っているが、その一部又は全部を剛体コアの外方で行うこともできる。例えば、以下に説明する方法とすることができる。まず、図１（ａ）に示すように、保持ステージ５の上にカーカスプライの端部６を載置した後、カーカスプライ３のビード部に対応する部分を剛体コア１上に貼り付ける前に、保持ステージ５において、カーカスプライの端部６をビードコアの周りに弾性的に巻き付ける。次いで、ビードコア４の外径よりも大きい内径を有するリング状の拘束部材１０を、ビードコア４とともにカーカスプライ３を挟み込むように、カーカスプライの端部６及びビードコア４の剛体コア幅方向外側に配置する。それから、カーカスプライ３により巻き回され、拘束部材１０により拘束されたビードコア４部分を剛体コア１上に貼り付ける。なお、図示の例では、剛体コア１上でカーカスプライの端部６を折り返していることから、剛体コア１上で空間的な制約が発生し、カーカスプライの端部６を折り返す操作がやや困難であるのに対し、この製造方法では、カーカスプライの端部６を剛体コア１の外方で折り返すことから、空間的な余裕を充分に確保することができ、カーカスプライの端部６を折り返す操作２が容易となる。また、このとき、カーカスプライの端部６の剛体コア４への巻き付けは、複数の折返し手段を用いて順次に巻き付けても良いが、例えば単一のブラダを用いて連続的に巻き付けても良い。
【００２８】
更に、第一、第二及び第三折返し工程のうち、少なくとも一つの折返し工程においてカーカスプライの端部６を弾性的に折り返すことが好ましく、より好ましくは全ての折返し工程において弾性的に折り返される。なぜなら、カーカスプライ３を塑性的に変形させると、塑性変形させることに時間及び手間がかかり、タイヤ製造の生産性を低下させるからである。また、一般的なタイヤの場合、塑性変形後のカーカスプライ３の破断強力は、塑性変形前のそれの７０％程度にまで低下するが、このように弾性的に変形させると、破断強力の低下を抑制することができるからである。好ましくは、変形前の真直ぐなカーカスプライ３の破断強力の８０％以上の破断強力を有するように変形する。
【００２９】
更にまた、剛体コア上にて、複数本のコードを平行配置してゴム被覆したものであってもよいが、一本のコードを実質的にタイヤ周方向に螺旋状に連続巻回しながら配置して、拘束部材１０を構成する工程を更に含むことが好ましい。なぜなら、拘束部材１０は、コア製法の利点を活かす観点からは、一本のゴム引きコードを剛体コア３上で円周に沿って螺旋状に巻回して形成することが好ましいからである。
【００３０】
加えて、カーカスプライ３の倒れ込み変形を防止する補強部材２を、タイヤのビード部に対応するカーカスプライ３及び剛体コア１の間に配置する工程を更に含むことが好ましい。なぜなら、かかる補強部材２をカーカスプライ３に隣接して配設することで、ビード部の倒れ込み変形しやすい領域の剛性が高まり、タイヤ負荷転動時等に生ずるタイヤ幅方向外側へのビード部の倒れ込み変形が有効に抑制されるので、ビード部耐久性が一層向上する可能性があり、また、補強部材２をカーカスプライ３に沿って配設することで、タイヤ負荷転動時にビード部領域におけるカーカスプライ３にかかるタイヤ径方向外側への張力を補強部材２と併せて負担することとなり、張力に起因したカーカスプライの引き抜けを防止することができるので、ビード部耐久性が一層向上する可能性があるからである。このような補強部材２を配設する場合でも、この発明の製造方法によれば、製品タイヤの形状に近い剛体コア１上に補強部材２を貼り付けるので、位置的な精度が高く、品質の安定したタイヤが得られる。
【００３１】
加えてまた、剛体コア上にて、一本のコードを実質的に剛体コア周方向に螺旋状に連続巻回しながら配置して、補強部材２を構成する工程を更に含むことが好ましい。なぜなら、補強部材２は、コア製法の利点を活かす観点からは、一本のゴム引きコードを剛体コア１上で円周に沿って螺旋状に巻回して形成することが好ましいからである。
【００３２】
上述した方法により製造される代表的なタイヤのビード部のタイヤ幅方向断面を図２に示す。かかるタイヤは、カーカスプライ３の折返し部がビードコア４の周面に弾性的に巻き付けられていることから、カーカスプライの端部６への応力集中を回避でき、カーカスプライ３を塑性変形することなく巻付けることから、塑性変形に起因したビード部耐久性の低下を抑制することができ、かつカーカスプライの端部６をビードコア４と拘束部材１０で挟持していることから、カーカスプライ３の引き抜けを有効に防止することができ、よってビード部耐久性が飛躍的に向上する。
【００３３】
また、ビードコアを埋設した一対のビード部、ビード部からタイヤ径方向外側に延びる一対のサイドウォール部、並びに両サイドウォール部間にまたがって延びるトレッド部の各部にわたってトロイド状に延びる少なくとも一枚のカーカスプライ３を具え、カーカスプライ３はビードコア４の周りに折り返されるタイヤにおいて、かかるタイヤは、ビード部に拘束部材１０を更に具え、かかる拘束部材１０のタイヤ径方向最内端は、ビードコア４のタイヤ径方向最外端よりもタイヤ径方向内側に配置され、ビードコア４とともにカーカスプライの端部６を挟み込むことを特徴とする空気入りタイヤである。かかるタイヤは、カーカスプライ３の折返し部がビードコア４の周面に巻き付けられていることから、カーカスプライの端部６への応力集中を回避でき、かつカーカスプライの端部６をビードコア４と拘束部材１０で挟持していることから、カーカスプライ３の引き抜けを有効に防止することができ、よってビード部耐久性が飛躍的に向上する。なお、かかるタイヤは、円筒ドラム上にタイヤ構成部材を貼り付けた後に膨出拡張させて生タイヤの形状とする従来のシェーピング製法によっても製造することができるが、コア製法により製造することが特に好ましい。
【００３４】
更に、このタイヤにおいて、カーカスプライ３は弾性的に折り返されてなることが好ましい。なぜなら、カーカスプライ３を塑性的に変形させると、塑性変形させることに時間及び手間がかかり、タイヤの製造に時間を要し、生産性を低下させるからである。また、一般的なタイヤの場合、塑性変形後のカーカスプライ３の破断強力は、塑性変形前のそれの７０％程度にまで低下するが、このように弾性的に変形させると、破断強力の低下を抑制することができるからである。好ましくは、変形前の真直ぐなカーカスプライ３の破断強力の８０％以上の破断強力を有するように変形する。
【００３５】
更にまた、このタイヤにおいて、拘束部材１０は、複数本のコードを平行配置してゴム被覆したものであってもよいが、一本のコードを実質的にタイヤ周方向に螺旋状に連続巻回して構成されることが好ましい。なぜなら、拘束部材１０のタイヤ径方向最内端は、ビードコアのタイヤ径方向最外端よりもタイヤ径方向内側に配設されることから、構成済みの拘束部材１０をかかる配設位置に据え付けることがその形状及び寸法から困難であり、コードを実質的にタイヤ周方向に螺旋状に連続巻回して構成することが好ましいからであり、また、コア製法の利点を活かす観点からは、一本のゴム引きコードを剛体コア１上で円周に沿って螺旋状に巻回して形成することが好ましいからである。
【００３６】
加えて、このタイヤにおいて、ビード部に対応するカーカスプライ３及びビードコア４のタイヤ幅方向内側に補強部材２を配置してなることが好ましい。なぜなら、かかる補強部材２をカーカスプライ３に隣接して配設することで、タイヤのビード部の倒れ込み変形しやすい領域の剛性を高め、タイヤ負荷転動時等に生ずるタイヤ幅方向外側へのビード部の倒れ込み変形が有効に抑制されるので、タイヤのビード部耐久性が一層向上する可能性があるからである。
【００３７】
加えてまた、このタイヤにおいて、補強部材２は、複数本のコードを平行配置してゴム被覆したものであってもよいが、一本のコードを実質的にタイヤ周方向に螺旋状に連続巻回して構成されることが好ましい。なぜなら、補強部材２は、コア製法の利点を活かす観点からは、一本のゴム引きコードを剛体コア１上で円周に沿って螺旋状に巻回して形成することが好ましいからである。
【００３８】
また、拘束部材１０及び／又は補強部材２を構成するコードは金属コード又は有機繊維コードであることが好ましい。なぜなら、車種に応じて充分な柔軟性及び強度を具えたコードが用いられない場合には、タイヤ負荷転動時に、倒れ込み変形を充分に抑制することができなくなり、カーカスプライ３とゴムとのセパレーションが発生し易くなるとともに、カーカスプライのビード部への係止力が充分に向上されずに、カーカスプライ３のビード部からの引き抜けも充分に防止することができなくなる可能性があるからである。例えば、乗用車用タイヤにおける拘束部材１０及び／又は補強部材２を構成するコードは、それ程高い剛性を必要としないことから、むしろ重量を軽くすることが重要となり、一般に剛性はそれほど高くないが単位体積当たりの重量が比較的小さい特性を有する有機繊維コードを用いることが好ましいが、バス、トラック、農業機械、建設車両等に用いられる重荷重用タイヤにおける拘束部材１０及び／又は補強部材２を構成するコードは、高い剛性を必要とすることから、一般に単位体積当たりの重量は大きいが剛性が高い特性を有する金属コードとすることが好ましい。なお、金属コードとしては、例えば、単線からなるスチールコード、複数線を撚ったスチールコード等を、有機繊維コードとしては、例えば、レーヨンコード、アラミド（芳香族ポリアミド）コード等を用いることが好ましい。また、ビード部を構成するゴムの種類、ビードコア４の剛性や断面形状等に応じて、コードの寸法を適宜変更することが可能である。更に、コードとコードを被覆しているゴムとの剥離を防止するために、コードは、タイヤ負荷転同時の倒れ込み形状にある程度追従するように変形することができる材料のものとすることが好ましい。
【００３９】
更に、補強部材２のタイヤ径方向外側の端部は、ビードコア４のタイヤ径方向最外端よりもタイヤ径方向外側にあることが好ましい。なぜなら、補強部材２のタイヤ径方向外側の端部がビードコア４のタイヤ径方向最外端よりもタイヤ径方向内側にある場合には、ビードコア４のタイヤ径方向最外端近傍における倒れ込み変形を充分に防止することができずに、倒れ込み変形した際に、ビードコア４のタイヤ径方向最外端に応力が集中し、ビードコア４とゴムとのセパレーションが発生し易くなる可能性があるからである。
【００４０】
更にまた、補強部材２のタイヤ径方向内側の端部は、ビードコア４のタイヤ径方向最内端よりもタイヤ径方向内側にあることが好ましい。なぜなら、補強部材２のタイヤ径方向内側の端部がビードコア４のタイヤ径方向最内端よりもタイヤ径方向内側にあることにより、ビードコア４と補強部材２でカーカスプライ３を挟み込む領域が増加し、挟み込みの効果が向上するので、カーカスプライ３の引き抜けがより発生しにくくなる可能性があるからである。
【００４１】
なお、上述したところは、この発明の実施形態の一部を示したにすぎず、この発明の趣旨を逸脱しない限り、これらの構成を相互に組み合わせたり、種々の変更を加えたりすることができる。例えば、図２には、複数本のコードで拘束部材１０を構成した態様を示したが、拘束部材１０はこれに限定されず、例えば板状体や棒状体をリング状に折り曲げたものを用いることもできる。また、図１及び２に示した例では、一層の補強部材２を配設しているが、かかる構成は必須ではなく、タイヤに要求される性能に応じてこれを省略したり、二層以上としたりすることもできる。
【実施例】
【００４２】
次に、この発明に従うタイヤを試作し性能評価を行ったので、以下に説明する。
【００４３】
実施例のタイヤは、タイヤサイズが１１Ｒ２２．５のトラック・バス用タイヤであり、図２に示すようなビード部構造を有している。このタイヤは、コア製法により製造されたものであり、カーカスプライをビードコアに沿って弾性的に折り返し、ビードコアのタイヤ径方向外側に配置したカーカスプライの端部のタイヤ径方向外側に拘束部材を配置し、ビード部に対応するカーカスプライ及びビードコアのタイヤ幅方向内側に補強部材を配置したものである。
【００４４】
実施例タイヤとの比較のため、フラットなドラム上に構成部材を順次配置して、これを膨出拡張させることで所要の形状に成型する従来のシェーピング製法により製造される実施例タイヤと同じタイヤサイズの従来例タイヤについても併せて試作した。かかる従来例タイヤは、図３に示すようなビード部構造を有し、ビード部において、カーカスプライの折返し部がビードコアの周面に沿って塑性的に巻き付けられており、ワイヤチェーファからなる補強部材が、ビード部に対応するカーカスプライ及びビードコアのタイヤ幅方向内側から、ビードコアを巻回しているカーカスプライを覆うように巻き付けられている。また、このとき、かかる補強部材のタイヤ幅方向外側及び内側の端部は、ビードコアのタイヤ径方向最外端よりもタイヤ径方向外側に位置している。
【００４５】
（製造効率）
従来のコア製法による製造方法及びこの発明に従うコア製法による製造方法において、カーカスプライをビードコアへ巻き付ける作業に要した時間を測定し、これにより製造効率を評価した。その結果、この発明に従うコア製法による製造方法では、カーカスプライのくせ付け工程を省略できるために、くせ付け工程を含む従来のコア製法による製造方法よりも作業時間が短縮された。
【００４６】
（ビード部耐久性）
前記各供試タイヤをサイズ８．２５×２２．５のリムに装着してタイヤ車輪とし、このタイヤ車輪に空気圧７００ｋＰａ（相対圧）を適用し、正規荷重の２００％の負荷をかけ、走行速度６０ｋｍ／ｈ、温度４６℃の条件下においてドラム試験機上を走行させ、ビード部が破損して走行することができなくなるまでの距離を調べることにより、ビード部耐久性を評価した。その結果、従来例タイヤでは１００００ｋｍでビード部が破損して走行することができなくなったところ、実施例タイヤではそれよりも長い１４０００ｋｍでビード部が破損して走行することができなくなった。
【００４７】
したがって、実施例のタイヤは、比較例のタイヤに比べて、製造効率が高く、かつビード部耐久性が高いことが分かった。
【産業上の利用可能性】
【００４８】
以上の説明から明らかなように、この発明によって、製造効率が高く、かつ大幅にビード部耐久性を向上したタイヤの製造方法及びかかる製造方法により製造されるタイヤを提供することが可能となった。
【図面の簡単な説明】
【００４９】
【図１】この発明に従う代表的なタイヤの製造方法の概略を示すタイヤ幅方向左半断面図である。
【図２】この発明に従う代表的なタイヤのビード部のタイヤ幅方向断面図である。
【図３】従来例タイヤのビード部のタイヤ幅方向断面図である。
【符号の説明】
【００５０】
１  剛体コア
２  補強部材
３  カーカスプライ
４  ビードコア
５  保持ステージ
６  カーカスプライの端部
７  ロック手段
８  第一折返し手段
９  第二折返し手段
１０  拘束部材
【図１】
2008173938.tif 000003
【図２】
2008173938.tif 000004
【図３】
2008173938.tif 000005